(57)【要約】  仙骨に左右の後上腸骨棘を接近しやすくして、靱帯が弛緩して拡がってずれた仙腸関節の間隔を効果的に狭めて正常な間隔にして矯正する骨盤用ベルトを提供することを課題とする。骨盤周囲に取り付ける骨盤用ベルトであって、骨盤周囲に巻きつけ両端部同士を脱着可能にしたベルト本体と、上後腸骨棘の外側部に当接し前記上後腸骨棘を左右方向で内方向に押す、前記ベルト本体に固定した左右の上後腸骨棘用パッドと、上前腸骨棘の内側に当接し前記上前腸骨棘を左右方向で外方向に押す、前記ベルト本体に固定した左右の上前腸骨棘用パッドと、前記右側又は左側の上後腸骨棘用パッドとそれぞれ左右で反対側の上前腸骨棘用パッドとを引き寄せ可能な左右一対のバンド群と、を備える骨盤用ベルトにより課題解決できた。
2018173098.tif 000002
【特許請求の範囲】
【請求項１】
骨盤周囲に取り付ける骨盤用ベルトであって、
骨盤周囲に巻きつけ両端部同士を脱着可能にしたベルト本体と、
上後腸骨棘の外側部に当接し前記上後腸骨棘を左右方向で内方向に押す、前記ベルト本体に固定した左右の上後腸骨棘用パッドと、
上前腸骨棘の内側に当接し前記上前腸骨棘を左右方向で外方向に押す、前記ベルト本体に固定した左右の上前腸骨棘用パッドと、
前記右側又は左側の上後腸骨棘用パッドとそれぞれ左右で反対側の上前腸骨棘用パッドとを引き寄せ可能な左右一対のバンド群と、を備えることを特徴とする骨盤用ベルト。
【請求項２】
前記バンド群が、一端を前記左側上後腸骨棘用パッドに固定され、前記右側上後腸骨棘用パッド側に延在させて前記左側上後腸骨棘用パッドと前記右側上前腸骨棘用パッドとを引き寄せ可能かつ他端を前記ベルト本体又は右側上前腸骨棘用パッドに着脱可能にした右側バンドと、
一端を前記右側上後腸骨棘用パッドに固定され、前記左側上後腸骨棘用パッド側に延在させて前記右側上後腸骨棘用パッドと前記左側上前腸骨棘用パッドとを引き寄せ可能かつ他端を前記ベルト本体又は左側上前腸骨棘用パッドに着脱可能にした左側バンドと、を備えることを特徴とする請求項１に記載の骨盤用ベルト。
【発明の詳細な説明】
【技術分野】
【０００１】
本発明は、骨盤を形成する腸骨と仙骨の間にある仙腸関節の歪みの矯正を行う骨盤用ベルトに関する。
【背景技術】
【０００２】
一般的に仙腸関節のずれによって腰痛などの症状が生じることが知られている。例えば妊婦がお産をするときに仙腸関節の靱帯が弛緩し仙骨と腸骨との間が拡がるが、その後に仙骨と腸骨との位置関係が元に戻らず仙腸関節がずれてしまう症状が生じることがある。【０００３】
特許文献１には、仙骨および腸骨の周囲を包囲する装着体と、前記装着体に設けられ、仙腸関節を押圧して弾性変形する中空の球面体により形成された圧迫体を収納するための袋部とを備えた関節包内矯正具が開示されている。【０００４】
特許文献２には、帯状のベルト本体と、前記ベルト本体の両端部に設けられ、互いに係止される面ファスナーとを有する腰痛ベルトであって、前記ベルト本体が、その内面中央部に、左右一対のベルト幅方向に向けて２列の突起を備えている腰痛ベルトが開示されている。【０００５】
特許文献３には、伸縮性を備えるベルト本体によって腸骨を囲繞するとともに、腰部に着脱自在に取り付けられるようにした腰用ベルトであって、上記ベルト本体の裏面側で腸骨の上・下後腸骨棘部に当接する部位に、凹面形状を有し、当該凹面内底に突起体を備え、当該突起体により上・下後腸骨棘部を内下方へ押し込み圧迫するカップ状腸骨当て具を設けるとともに、当該カップ状腸骨当て具が設けられた部位のベルト本体の表側に、Ｘ字状に形成され、当該カップ状腸骨当て具に対してＸ字状の交点で圧迫し押圧力を伝えるように伸縮力を発揮する補助ベルトを設けた腰用ベルトが開示されている。【０００６】
特許文献４には、人の腰部から腹部に巻回される帯状の腰ベルトと、この腰ベルトの内側中央部に設けられ人の腰椎部に対向して当接される腰部支持部材（１３）と、前記腰ベルトの内側両側部に設けられ人の腰部側面の左右一対の腸骨部に対向して当接される一対の側部支持部材（１２）と、前記腰ベルト中央下部に設けられ臀部上方から股関節を覆い下腹部で両端部同士が繋がれて巻き付けられる補助ベルト（１７，１８）とを備え、前記腰部支持部材と前記側部支持部材は、軟質樹脂、硬質ゴム、発泡樹脂、又は立体構造布帛から成り、前記腰ベルトの締めつけ力で潰れない程度の曲げ硬さと厚み及び弾力性を有し、衝撃吸収性を有する材料により形成され、前記側部支持部材が前記腰部支持部材に対して位置調節自在に設けられ、前記側部支持部材は、中央部に凹部が形成され、この凹部周縁が腸骨棘を囲むように前記腸骨部に当接され、前記一対の側部支持部材の厚みにより、前記腰ベルトの内側面と、前記一対の側部支持部材間の前記腹部表面との間に空間を形成し、前記腹部の圧迫を軽減するように設けられ、前記腰ベルトと前記腰部支持部材、及び前記側部支持部材の少なくとも一方の内側には、滑り止め部が形成されている腰用サポータが開示されている。
【先行技術文献】
【特許文献】
【０００７】
【特許文献１】特開２０１５−１７７８９７号公報
【特許文献２】特開２０１７−４７１４３号公報
【特許文献３】国際公開番号ＷＯ２００８／００１４４０号公報
【特許文献４】特許第４８４０８８１号公報
【発明の概要】
【発明が解決しようとする課題】
【０００８】
特許文献１に記載の発明は、仙骨と腸骨との間に球面体を押し当て仙骨を押すので仙骨と腸骨との間隔がさらに拡がり、靱帯が弛緩して拡がってずれた仙腸関節をさらに拡げてしまうという問題があった。【０００９】
特許文献２に記載の発明は、仙腸関節付近の大殿筋付着部の筋肉と、上前腸骨棘付近の中殿筋付着部の筋肉をほぐして腰痛を緩和させることを目的としており、靱帯が弛緩して拡ってずれた仙腸関節の矯正には適さないという問題があった。【００１０】
特許文献３に記載の発明は、カップ状腸骨当て具に設けた突起体により上・下後腸骨棘部を内下方へ押し込む方向に押圧するが、十分な力で上後腸骨棘部を移動させにくいという問題があった。そのため、靱帯が弛緩して拡がってずれた仙腸関節を正常に矯正しにくいという問題があった。【００１１】
特許文献４に記載の発明は、胴回りを強い圧迫力で締め付けても腹部の締付力の軽減を目的にしており、仙腸関節を狭くすることができないという問題とともに、強く締めすぎると鼠径部の血管を圧縮して下肢の血流を制限するという問題があった。【００１２】
本発明はこうした問題に鑑み創案されたもので、中央位置にある仙骨に対して左右の位置にある後上腸骨棘が接近しやすくなり、靱帯が弛緩して拡がってずれた仙腸関節の間隔を狭めて正常な間隔にして矯正する骨盤用ベルトを提供することを課題とする。
【課題を解決するための手段】
【００１３】
請求項１に記載の骨盤用ベルト１は、骨盤２０周囲に取り付ける骨盤用ベルト１であって、骨盤２０周囲に巻きつけ両端部同士を脱着可能にしたベルト本体２と、上後腸骨棘２７、２８の外側部に当接し前記上後腸骨棘２７，２８を左右方向で内方向に押す、前記ベルト本体２に固定した左右の上後腸骨棘用パッド５、６と、上前腸骨棘２５、２６の内側に当接し前記上前腸骨棘２５、２６を左右方向で外方向に押す、前記ベルト本体２に固定した左右の上前腸骨棘用パッド３、４と、前記右側又は左側の上後腸骨棘用パッド５、６とそれぞれ左右で反対側の上前腸骨棘用パッド（３又は４）とを引き寄せ可能な左右一対のバンド７、８とを備えることを特徴とする。【００１４】
請求項２に記載の骨盤用ベルト１は、請求項１において、前記左右一対のバンド７、８が、一端を前記左側上後腸骨棘用パッド６に固定され、前記右側上後腸骨棘用パッド５側に延在させて前記左側上後腸骨棘用パッド６と前記右側上前腸骨棘用パッド３とを引き寄せ可能かつ他端を前記ベルト本体２又は右側上前腸骨棘用パッド３に着脱可能にした右側バンド７と、一端を前記右側上後腸骨棘用パッド５に固定され、前記左側上後腸骨棘用パッド６側に延在させて前記右側上後腸骨棘用パッド５と前記左側上前腸骨棘用パッド４とを引き寄せ可能かつ他端を前記ベルト本体２又は左側上前腸骨棘用パッド４に着脱可能にした左側バンド８と、を備えることを特徴とする。
【発明の効果】
【００１５】
請求項１又は２に記載の骨盤用ベルト１は、左側の腸骨２４の左後部の骨と右側の腸骨２３の右前部の骨の突起を引き付けることにより左仙腸関節３２を圧迫しつつ右の寛骨３３（腸骨２３及び坐骨２９）を上から見て右回転させて右の仙腸関節３１の後部の仙骨２２と腸骨２３との間を接近させるとともに、右側の腸骨２３の右後部の骨と左側の腸骨２４の左前部の骨の突起を引き付けることにより右仙腸関節３１を圧迫しつつ左の寛骨３４（腸骨２４及び坐骨２９）を上から見て左回転させて左の仙腸関節３２の後部の仙骨２２と腸骨２４との間を接近させることができ、左右の仙腸関節３１、３２をしっかりと密着させることができる。これにより、仙腸関節３１、３２の靱帯が弛緩して拡がりずれた仙腸関節３１、３２を正常な状態に戻すことができる。
【図面の簡単な説明】
【００１６】
【図１】本願発明の一例の骨盤用ベルトの使用時の状態を説明する平面視の説明図である。
【図２】本願発明の骨盤用ベルトの使用時の骨盤との位置関係を説明する説明図である。
【図３】本願発明の一例の骨盤用ベルトの正面視の説明図である。
【図４】本願発明の一例の骨盤用ベルトの背面視の説明図である。
【図５】骨盤の正面視の概要図である。
【図６】骨盤を右斜上方から見た概要図である。
【図７】骨盤の平面視の概要図である。
【発明を実施するための形態】
【００１７】
本願発明の骨盤用ベルト１は、図１〜図４に示すように、骨盤２０周囲に取り付ける骨盤用ベルト１であって、骨盤２０周囲に巻きつけ両端部同士を脱着可能にしたベルト本体２と、上後腸骨棘２７、２８の外側部に当接し前記上後腸骨棘２７、２８を左右方向で内方向に押す、前記ベルト本体２に固定した左右の上後腸骨棘用パッド５、６と、上前腸骨棘２５、２６の内側に当接し前記上前腸骨棘２５、２６を左右方向で外方向に押す、前記ベルト本体２に固定した左右の上前腸骨棘用パッド３、４と、前記右側又は左側の上後腸骨棘用パッド５、６とそれぞれ左右で反対側の上前腸骨棘用パッド（３又は４）とを引き寄せ可能な左右一対のバンド７、８とを備える。
【００１８】
そして、前記バンド７、８が、一端を前記左側上後腸骨棘用パッド６に固定され、前記右側上後腸骨棘用パッド５側に延在させて前記左側上後腸骨棘用パッド６と前記右側上前腸骨棘用パッド３とを引き寄せ可能かつ他端を前記ベルト本体２又は右側上前腸骨棘用パッド３に着脱可能にした右側バンド７と、一端を前記右側上後腸骨棘用パッド５に固定され、前記左側上後腸骨棘用パッド６側に延在させて前記右側上後腸骨棘用パッド５と前記左側上前腸骨棘用パッド４とを引き寄せ可能かつ他端を前記ベルト本体２又は左側上前腸骨棘用パッド４に着脱可能にした左側バンド８と、を備える。
【００１９】
前記ベルト本体２は、骨盤２０周囲にしっかりと巻きつけて両端同士を脱着自在にした細長いベルトである。材質は布製や革製等でもよく骨盤２０周りに密着し締め付けることが可能な材質でればいい。前記ベルト本体２の両端には面ファスナーやバックル等の締め付けた任意の位置で固定でき着脱可能な固定手段４０が設けられている。この固定手段４０によりベルト本体２を骨盤２０周囲にしっかりと取り付けることができる。
【００２０】
そして、ベルト本体２には、骨盤２０周囲に巻いたときに、右上前腸骨棘２５に対応する部位に当接可能に右上前腸骨棘用パッド３を固定し、右上後腸骨棘２７に対応する部位に当接可能に右上後腸骨棘用パッド５を固定し、左上前腸骨棘２６に対応する部位に当接可能に左上前腸骨棘用パッド４を固定し、左上後腸骨棘２８に対応する部位に当接可能に左上後腸骨棘用パッド６を固定している。
【００２１】
前記右上前腸骨棘用パッド３又は前記左上前腸骨棘用パッド４は、材質が硬質でありベルト本体２やバンド７、８を骨盤２０周囲にしっかりと締め付けても変形せずに前記右上前腸骨棘２５又は前記左上前腸骨棘２６を移動させる硬さを有する。そして、前記右上前腸骨棘用パッド３又は前記左上前腸骨棘用パッド４の形態は、平面視で図１や図２に示すように、例えば、平面視で三角形、台形、円形、四角形等があるが、前記右上前腸骨棘２５又は前記左上前腸骨棘２６の前端に当接して前記右上前腸骨棘２５又は前記左上前腸骨棘２６を後方に押圧を加えて、前記右上前腸骨棘２５の場合は矢印Ａ方向に又は前記左上前腸骨棘２６の場合は矢印Ｂ方向に、移動させられる形態であればよい。
【００２２】
前記右上後腸骨棘用パッド５又は前記左上後腸骨棘用パッド６は、材質が硬質でありベルト本体２やバンド７、８を骨盤２０周囲にしっかりと締め付けても変形せずに前記右上後腸骨棘２７又は前記左上後腸骨棘２８を移動させる硬さを有する。そして、前記右上後腸骨棘用パッド５又は前記左上後腸骨棘用パッド６の形態は、平面視で図１や図２に示すように、例えば、平面視で三角形、台形、円形、四角形等があるが、前記右上後腸骨棘２７又は前記左上後腸骨棘２８に当接して前記右上後腸骨棘２７又は前記左上後腸骨棘２８を中央方向である仙骨２２方向に押圧を加えて、前記右上後腸骨棘２７の場合は矢印Ｃ方向に又は前記左上後腸骨棘２８の場合は矢印Ｄ方向に、移動させられる形態であればよい。
【００２３】
前記バンド７は、材質は布製や革製等でよく骨盤２０周りに密着し締め付けることが可能な材質でればよい。前記バンド７の開放端やその近傍には面ファスナーやバックル等の締め付けた任意の位置で固定でき着脱可能な固定手段４１が設けられている。前記バンド７は、一端を前記左側上後腸骨棘用パッド６に固定され、前記右側上後腸骨棘用パッド５側に延在させて前記左側上後腸骨棘用パッド６と前記右側上前腸骨棘用パッド３とを引き寄せ可能としている。この引き寄せ可能にしたことにより、図２、図５〜図７に示すように、左側の腸骨２４の左後部の骨と右側の腸骨２３の右前部の骨の突起を引き付けることにより左仙腸関節３２を矢印Ｓ２の方向から圧迫しつつ右の寛骨３３（腸骨２３及び坐骨２９）を上から見て右回転（矢印Ａ方向）させて右の仙腸関節３１の後部の仙骨２２と腸骨２３との間を矢印Ｓ１の方向から接近させることができる。また、バンド７は、前記左側上後腸骨棘用パッド６と前記右側上前腸骨棘用パッド３とを引き寄せ可能とし、締め付けた任意の位置で固定でき着脱可能な固定手段４１が設けられていればよく、例えば、図１に示すように１本でもよく、２本以上が枝分かれした状態（図示なし）でもよく、２本以上（図示なし）でもよい。
【００２４】
前記バンド８は、材質は布製や革製等でよく骨盤２０周りに密着し締め付けることが可能な材質でればよい。前記バンド８の開放端やその近傍には面ファスナーやバックル等の締め付けた任意の位置で固定でき着脱可能な固定手段４１が設けられている。前記バンド８は、一端を前記右側上後腸骨棘用パッド５に固定され、前記左側上後腸骨棘用パッド６側に延在させて前記右側上後腸骨棘用パッド５と前記左側上前腸骨棘用パッド４とを引き寄せ可能としている。この引き寄せ可能にしたことにより、図２、図５〜図７に示すように、右側の腸骨２３の右後部の骨と左側の腸骨２４の左前部の骨の突起を引き付けることにより右仙腸関節３１を矢印Ｓ１の方向から圧迫しつつ左の寛骨３４（腸骨２４及び坐骨２９）を上から見て左回転（矢印Ｂ方向）させて左の仙腸関節３２の後部の仙骨２２と腸骨２４との間を矢印Ｓ２方向から接近させることができる。また、バンド８は、前記右側上後腸骨棘用パッド５と前記左側上前腸骨棘用パッド４とを引き寄せ可能とし、締め付けた任意の位置で固定でき着脱可能な固定手段４１が設けられていればよく、例えば、図１に示すように１本でもよく、２本以上が枝分かれした状態（図示なし）でもよく、２本以上（図示なし）でもよい。
【００２５】
次に、使用方法の例について説明する。まず、骨盤用ベルト１を右上前腸骨棘２５に対応する部位に右上前腸骨棘用パッド３を当接させ、右上後腸骨棘２７に対応する部位に右上後腸骨棘用パッド５が当接させ、左上前腸骨棘２６に対応する部位に左上前腸骨棘用パッド４を当接させ、左上後腸骨棘２８に対応する部位に左上後腸骨棘用パッド６を当接させて骨盤２０周囲に巻きつける。そして、ベルト本体２の両端を、図１に示すように、方向ａと方向ｂの方向に引っ張ってしっかりと締めた位置で面ファスナー等の固定手段４０で固定する。これにより、前記右上前腸骨棘用パッド３、左上前腸骨棘用パッド４、前記右上後腸骨棘用パッド５及び前記左上後腸骨棘用パッド６の位置を適切に固定させて取り付けることができる。
【００２６】
次に、バンド７及びバンド８を締め付ける。図１に示すように、バンド７の開放端側を前方に引張り折り返して右後方の方向ｃに強く引張り締め切った位置で右上前腸骨棘用パッド３近傍に面ファスナー等の固定手段４１で固定する。同じように、バンド８の開放端側を前方に引張り折り返して左後方の方向ｄに強く引張り締め切った位置で左上前腸骨棘用パッド４近傍に面ファスナー等の固定手段４１で固定する。
【００２７】
これにより、左仙腸関節３２を圧迫しつつ右の寛骨３３を上から見て右回転させて右の仙腸関節３１の後部の仙骨２２と腸骨２３との間を接近させるとともに、右側の腸骨２３の右後部の骨と左側の腸骨２４の左前部の骨の突起を引き付けることにより右仙腸関節３１を圧迫しつつ左の寛骨３４を上から見て左回転させて左の仙腸関節３２の後部の仙骨２２と腸骨２４との間を接近させることができ、左右の仙腸関節３１、３２をしっかりと密着させることができる。そして、仙腸関節３１、３２の靱帯が弛緩して拡がりずれた仙腸関節３１、３２を正常な状態に戻すことができる。
【符号の説明】
【００２８】
１        骨盤用ベルト
２        ベルト本体
３        上前腸骨棘用パッド
４        上前腸骨棘用パッド
５        上後腸骨棘用パッド
６        上後腸骨棘用パッド
７        バンド
８        バンド
２０      骨盤
２２      仙骨
２３      腸骨
２４      腸骨
２５      上前腸骨棘
２６      上前腸骨棘
２７      上後腸骨棘
２８      上後腸骨棘
２９      坐骨
３１      仙腸関節
３２      仙腸関節
３３      寛骨
３４      寛骨
４０      固定手段
４１      固定手段
【図１】
2018173098.tif 000003
【図２】
2018173098.tif 000004
【図３】
2018173098.tif 000005
【図４】
2018173098.tif 000006
【図５】
2018173098.tif 000007
【図６】
2018173098.tif 000008
【図７】
2018173098.tif 000009
【国際調査報告】
2018173098.tif 000010
2018173098.tif 000011
2018173098.tif 000012